(57)【要約】【課題】  スライドベースをガイドシャフトに沿って円滑にシークさせること。【解決手段】  対物レンズ付きアクチュエータを搭載したスライドベース２の一側縁に軸受部２ａが一体突設され、該軸受部２ａの軸孔内に円筒状メタル３が嵌入され、そのメタル３を介して軸受部２ａがガイドシャフト４にスライド可能に嵌合され、そのガイドシャフト４の外周面にグリースが塗布されており、ガイドシャフト４に沿ってスライドベース２をシークさせ、対物レンズからディスクにレーザ光を投射し、その反射光を対物レンズを介して受光し、その受光信号に基づいてディスクに記録されている情報を読み取るようにした光ピックアップにおいて、前記メタル３の内周面に、周方向所定間隔をおいて複数の油溝１６が該メタル３の全長にわたって凹設され、メタル３の突出端部３ａの外周面が外方に向かって所定の傾斜角度で先すぼまりテーパ状に形成されている。【選択図】        図４
2009020939.tif 000002
【特許請求の範囲】
【請求項１】
対物レンズ付きアクチュエータを搭載したスライドベースの一側縁に軸受部が一体突設
され、該軸受部の軸孔内に円筒状メタルが嵌入され、そのメタルを介して軸受部がガイド
シャフトにスライド可能に嵌合されると共に、前記スライドベースの他側縁がガイドシャ
フトと平行するガイド部材にスライド可能に係合され、前記ガイドシャフトの外周面にグ
リースが塗布されており、ガイドシャフト及びガイド部材に沿ってスライドベースをシー
クさせ、対物レンズからディスクにレーザ光を投射し、その反射光を対物レンズを介して
受光し、その受光信号に基づいてディスクに記録されている情報を読み取るようにした光
ピックアップにおいて、前記メタルの内周面に、周方向所定間隔をおいて複数の油溝が該
メタルの全長にわたって凹設されていることを特徴とする光ピックアップ。
【請求項２】
前記各油溝が、メタルの軸心を通る垂直線及び水平線から所定角度離れた位置に凹設さ
れていることを特徴とする請求項１に記載の光ピックアップ。
【請求項３】
前記メタルの端部が軸受部の端面よりも外方に突出され、その突出端部の外周面が外方
に向かって所定の傾斜角度で先すぼまりテーパ状に形成されていることを特徴とする請求
項１または２に記載の光ピックアップ。
【請求項４】
前記突出端部の外周面の傾斜角度が３０〜６０°（好ましくは４０〜５０°）に設定さ
れていることを特徴とする請求項３に記載の光ピックアップ。
【請求項５】
前記突出端部の外周面に、各油溝から外向きに広がる横断面略Ｖ字状の集油溝が形成さ
れていることを特徴とする請求項３または４に記載の光ピックアップ。
【請求項６】
対物レンズ付きアクチュエータを搭載したスライドベースの一側縁に軸受部が一体突設
され、該軸受部の軸孔内に円筒状メタルが嵌入され、そのメタルを介して軸受部がガイド
シャフトにスライド可能に嵌合されると共に、前記スライドベースの他側縁がガイドシャ
フトと平行するガイド部材にスライド可能に係合され、前記ガイドシャフトの外周面にグ
リースが塗布されており、ガイドシャフト及びガイド部材に沿ってスライドベースをシー
クさせ、対物レンズからディスクにレーザ光を投射し、その反射光を対物レンズを介して
受光し、その受光信号に基づいてディスクに記録されている情報を読み取るようにした光
ピックアップにおいて、前記メタルの内周面の該メタルの軸心を通る垂直線及び水平線か
ら所定角度離れた位置に複数の油溝がそのメタルの全長にわたって凹設され、メタルの端
部が軸受部の端面よりも外方に突出され、その突出端部の外周面が外方に向かって３０〜
６０°（好ましくは４０〜５０°）の傾斜角度で先すぼまりテーパ状に形成されているこ
とを特徴とする光ピックアップ。
【発明の詳細な説明】
【技術分野】
【０００１】
本発明は、例えばＤＶＤレコーダ、ＤＶＤプレーヤ、ＢＤ、ＣＤなどのディスク装置に
使用される光ピックアップに関し、特に、スライドベースをガイドシャフトに沿って円滑
にシークさせることができるようにしたものである。
【背景技術】
【０００２】
従来、光ピックアップの一例として図８〜図１１に示すものがあり、図８は同斜視図、
図９（ａ）は同要部の縦断面図、図９（ｂ）はＢ−Ｂ矢視図、図１０は同要部の斜視図、
図１１は同シーク時のスライド抵抗を示す要部の拡大縦断面図である。
【０００３】
図８〜図１０に示すように、アクチュエータ１を搭載したスライドベース２の一側縁に
軸受部２ａが空隙Ｈを挟んで一体突設され、該軸受部２ａの軸孔内に円筒状メタル３が嵌
入され、そのメタル３を介して軸受部２ａがディスク（図示せず）の半径方向に沿って延
びる一方のガイドシャフト４に矢印ａ，ｂ方向にスライド可能に嵌合されると共に、前記
スライドベース２の他端縁に一体突設した軸受部２ｂが一方のガイドシャフト４と平行す
る他方のガイドシャフト（ガイド部材）５にスライド可能に係合され、両ガイドシャフト
４，５の外周面にグリースＧが塗布されている。
【０００４】
図８に示すように、前記アクチュエータ１は、スライドベース２上に固定した金属板製
アクトベース７と、該アクトベース７上に固定した合成樹脂製ゲルボックス８と、該ゲル
ボックス８に対向してアクトベース７の上方に配置した対物レンズＯＬ付き合成樹脂製レ
ンズホルダ９と、該レンズホルダ９に取り付けた複数のコイル（フォーカスコイル、トラ
ッキングコイル及びチルトコイル）１０に接近して配置した一対のマグネット１１，１２
とを有し、ゲルボックス８の両側面に一端を半田付けした複数の弾性ワイヤ１３の他端が
レンズホルダ９の両側面に半田付けされている。なお、ゲルボックス５内にゲル１４が充
填されており、そのゲル１４中に各弾性ワイヤ１３が挿通されている。
【０００５】
情報読取手順を説明すると、図９（ａ）に示すように、フィードモータ（図示せず）に
よりスライドベース２をガイドシャフト４，５に沿ってディスク内周縁側の最前進位置Ｓ
１とディスク外周側の最後端位置Ｓ２との間のストロークＳ内で矢印ａ，ｂ方向にシーク
させ、各弾性ワイヤ１３を介して各コイル１０に通電することによりアクチュエータ１を
駆動し、レンズホルダ９を介して対物レンズＯＬをフォーカス方向及びトラッキング方向
やチルト方向に移動させ、レーザ光を対物レンズＯＬからディスクに投射し、その反射光
を受光してディスクに記録されている情報を読み取る。
【特許文献１】特開平９−２０４７４３号公報
【発明の開示】
【発明が解決しようとする課題】
【０００６】
上記従来の構成では、図９（ａ）に示すように、ガイドシャフト４の外周面にグリース
Ｇによる油膜Ｇａを形成して、スライドベース２を矢印ａ，ｂ方向に円滑にシークさせる
ようになっており、その油膜Ｇａを形成しない余剰のグリースＧがメタル３により押し出
され、ガイドシャフト４の両端にリング状余剰グリースＧｂが形成される。
【０００７】
前記リング状余剰グリースＧｂは、その幅ｋが比較的広くて、しかも、冬場などの低温
状態（例えば０°Ｃ前後）では、その粘性が大きくなっているため、図９に実線で示すよ
うに、光ピックアップの駆動停止によりスライドベース２を最前進位置Ｓ１で停止させて
、該スライドベース２が余剰グリースＧｂに当接すると、そのスライドベース２に余剰グ
リースＧｂが粘着された状態となり、その状態から光ピックアップの駆動開始によりスラ
イドベース２を矢印ｂ方向にスライドさせたときに（図１１参照）、そのスライドベース
２に粘着する余剰グリースＧｂが大きなスライド抵抗となる。このため、スライドベース
２を余剰グリースＧｂから離間させるのに必要な最低駆動電圧が上昇し、そのスライドベ
ース２をスライドさせるためのフィードモータとして駆動力が大きい大型のものが必要と
なったりして、コストアップになる。
【０００８】
また、スライドベース２を長期にわたって繰り返しスライドさせることにより、油膜Ｇ
ａが薄くなった場合に、両リング状余剰グリースＧｂからガイドシャフト４の中央に向け
てグリースＧを補充することが困難であり、スライド抵抗が大きくなって、スライドベー
ス２を円滑にスライドさせることが困難になる。
【０００９】
本発明は、上記従来の欠点に鑑み、スライドベーを長期にわたって小さなスライド抵抗
で円滑にスライドさせることができるようにした光ピックアップを提供することを目的と
している。
【課題を解決するための手段】
【００１０】
上記目的を達成するため、請求項１に記載の発明は、対物レンズ付きアクチュエータを
搭載したスライドベースの一側縁に軸受部が一体突設され、該軸受部の軸孔内に円筒状メ
タルが嵌入され、そのメタルを介して軸受部がガイドシャフトにスライド可能に嵌合され
ると共に、前記スライドベースの他側縁がガイドシャフトと平行するガイド部材にスライ
ド可能に係合され、前記ガイドシャフトの外周面にグリースが塗布されており、ガイドシ
ャフト及びガイド部材に沿ってスライドベースをシークさせ、対物レンズからディスクに
レーザ光を投射し、その反射光を対物レンズを介して受光し、その受光信号に基づいてデ
ィスクに記録されている情報を読み取るようにした光ピックアップにおいて、前記メタル
の内周面に、周方向所定間隔をおいて複数の油溝が該メタルの全長にわたって凹設されて
いることを特徴としている。
【００１１】
請求項２に記載の発明は、請求項１に記載の発明において、前記各油溝が、メタルの軸
心を通る垂直線及び水平線から所定角度離れた位置に凹設されていることを特徴としてい
る。
【００１２】
請求項３に記載の発明は、請求項１または２に記載の発明において、前記メタルの端部
が軸受部の端面よりも外方に突出され、その突出端部の外周面が外方に向かって所定の傾
斜角度で先すぼまりテーパ状に形成されていることを特徴としている。
【００１３】
請求項４に記載の発明は、請求項３に記載の発明において、前記突出端部の外周面の傾
斜角度が３０〜６０°（好ましくは４０〜５０°）に設定されていることを特徴としてい
る。
【００１４】
請求項５に記載の発明は、請求項３または４に記載の発明において、前記突出端部の外
周面に、各油溝から外向きに広がる横断面略Ｖ字状の集油溝が形成されていることを特徴
としている。
【００１５】
請求項６に記載の発明は、対物レンズ付きアクチュエータを搭載したスライドベースの
一側縁に軸受部が一体突設され、該軸受部の軸孔内に円筒状メタルが嵌入され、そのメタ
ルを介して軸受部がガイドシャフトにスライド可能に嵌合されると共に、前記スライドベ
ースの他側縁がガイドシャフトと平行するガイド部材にスライド可能に係合され、前記ガ
イドシャフトの外周面にグリースが塗布されており、ガイドシャフト及びガイド部材に沿
ってスライドベースをシークさせ、対物レンズからディスクにレーザ光を投射し、その反
射光を対物レンズを介して受光し、その受光信号に基づいてディスクに記録されている情
報を読み取るようにした光ピックアップにおいて、前記メタルの内周面の該メタルの軸心
を通る垂直線及び水平線から所定角度離れた位置に複数の油溝がそのメタルの全長にわた
って凹設され、メタルの端部が軸受部の端面よりも外方に突出され、その突出端部の外周
面が外方に向かって３０〜６０°（好ましくは４０〜５０°）の傾斜角度で先すぼまりテ
ーパ状に形成されていることを特徴としている。
【発明の効果】
【００１６】
請求項１に記載の発明によれば、スライドベースをガイドシャフトに沿ってスライドさ
せることにより、ガイドシャフトの外周面にグリースによる油膜が形成され、その油膜を
形成しない余剰のグリースが、メタルの各油溝に対向してガイドシャフトの中央に残され
る複数のライン状余剰グリースと、ガイドシャフトの両端に押し出されるリング状余剰グ
リースとに分散され、そのリング状余剰グリースの幅が小さいから、冬場などの低温状態
（例えば０°Ｃ前後）でグリースの粘性が大きくなっても、そのリング状余剰グリースに
当接するスライドベースに対するスライド抵抗を小さく抑えることができ、これによって
、スライドベースをリング状余剰グリースから離間させるのに必要な最低駆動電圧の上昇
が低く抑えられ、スライドベースをスライドさせるためのフィードモータとして駆動力が
小さい小型のものでもよくなり、コストダウンを図ることができる。
【００１７】
また、最低駆動電圧の上昇が低く抑えられることにより、供給電圧に余裕ができるから
、その供給電圧の低減効果も生じる。
【００１８】
更に、スライドベースを長期にわたって繰り返しスライドさせることにより、油膜が薄
くなると、各ライン状余剰グリースからガイドシャフトの中央に向けてグリースが補充さ
れるから、油膜の厚さを常に適正に保持してスライド抵抗が小さい状態を維持し、スライ
ドベースを長期にわたって円滑にスライドさせることができる。
【００１９】
請求項２に記載の発明によれば、メタルの内周面の天井部、底部及び左右両側部から外
れた位置に油溝が形成されており、その天井部、底部及び左右両側部の円弧面が油膜を介
してガイドシャフトに密着されているから、スライドベースを垂直方向及び水平方向に動
揺させることなくガイドシャフトに沿って円滑にスライドさせることができる。
【００２０】
請求項３に記載の発明によれば、リング状余剰グリースの大部分がメタルの突出端部上
に乗せられるから、そのリング状余剰グリースのガイドシャフトに接する幅が小さくなり
、冬場などの低温状態（例えば０°Ｃ前後）でグリースの粘性が大きくなっても、スライ
ド抵抗が大きくならず、スライドベースを小さな最低駆動電圧で確実にスライドさせるこ
とができる。
【００２１】
請求項４に記載の発明において、メタルの突出端部のテーパ状外周面の傾斜角度が３０
°未満の場合には、その突出端部の肉厚が小さくなり過ぎて強度が低下し、落下などの振
動が加わったときに損傷されるおそれがある。また、その傾斜角度が６０°を超える場合
には、その突出端部上にリング状余剰グリースを確実に乗せることが困難になる。そこで
、本発明では、その傾斜角度が３０〜６０°（好ましくは４０〜５０°）に設定されてお
り、これによれば、突出端部の肉厚が適度に大きくて強度が高いので、落下などの振動が
加わったときに損傷されることがなく、その突出端部上にリング状余剰グリースを確実に
乗せることができる。
【００２２】
請求項５に記載の発明によれば、メタルの突出端部上に乗せたリング状余剰グリースを
横断面略Ｖ字状の集油溝で集めて各油溝に補充することができる。
【００２３】
請求項６に記載の発明は第１の実施の形態（図１〜図６参照）に対応するものであって
、これによれば、スライドベースをガイドシャフトに沿ってスライドさせることにより、
ガイドシャフトの外周面にグリースによる油膜が形成され、その油膜を形成しない余剰の
グリースが、メタルの各油溝に対向してガイドシャフトの中央に残される複数のライン状
余剰グリースと、ガイドシャフトの両端に押し出されるリング状余剰グリースとに分散さ
れ、しかも、そのリング状余剰グリースの大部分がメタルの突出端部上に乗せられるから
、そのリング状余剰グリースのガイドシャフトに接する幅が小さくなり、冬場などの低温
状態（例えば０°Ｃ前後）でグリースの粘性が大きくなっても、そのリング状余剰グリー
スのスライドベースに対するスライド抵抗を小さく抑えることができ、これによって、ス
ライドベースをリング状余剰グリースから離間させるのに必要な最低駆動電圧の上昇が低
く抑えられ、スライドベースをスライドさせるためのフィードモータとして駆動力が小さ
い小型のものでもよくなり、コストダウンを図ることができる。
【００２４】
また、最低駆動電圧の上昇が低く抑えられることにより、供給電圧に余裕ができるから
、その供給電圧の低減効果も生じる。
【００２５】
更に、スライドベースを長期にわたって繰り返しスライドさせることにより、油膜が薄
くなると、各ライン状余剰グリースからガイドシャフトの中央に向けてグリースが補充さ
れるから、油膜の厚さを常に適正に保持してスライド抵抗が小さい状態を維持し、スライ
ドベースを長期にわたって円滑にスライドさせることができる。
【００２６】
しかも、メタルの内周面の天井部、底部及び左右両側部から外れた位置に油溝が形成さ
れており、その天井部、底部及び左右両側部の円弧面が油膜を介してガイドシャフトに密
着されているから、スライドベースを垂直方向及び水平方向に動揺させることなくガイド
シャフトに沿って円滑にスライドさせることができる。
【００２７】
ここで、メタルの突出端部のテーパ状外周面の傾斜角度が３０°未満の場合には、その
突出端部の肉厚が小さくなり過ぎて強度が低下し、落下などの振動が加わったときに損傷
されるおそれがある。また、その傾斜角度が６０°を超える場合には、その突出端部上に
リング状余剰グリースを確実に乗せることが困難になる。そこで、本発明では、その傾斜
角度が３０〜６０°（好ましくは４０〜５０°）に設定されており、これによれば、突出
端部の肉厚が適度に大きくて強度が高いので、落下などの振動が加わったときに損傷され
ることがなく、その突出端部上にリング状余剰グリースを確実に乗せることができる。
【発明を実施するための最良の形態】
【００２８】
図１〜図６は本発明の第１の実施の形態である光ピックアップを示すものであって、図
１は同要部の縦断面図、図２は図１のＡ−Ａ矢視図、図３は同要部の斜視図、図４は同要
部の部分斜視図、図５（ａ）は同要部の部分拡大斜視図、図４（ｂ）は同要部の部分拡大
横断面図、図６は同シーク時のスライド抵抗を示す要部の拡大縦断面図である。
【００２９】
図１〜図５に示すように、メタル３の内周面の該メタル３の軸心Ｏを通る垂直線Ｚ及び
水平線Ｙから所定角度α（この実施の形態では４５°）離れた位置に横断面半円形状の複
数（この実施の形態では４つ）の油溝１６がそのメタル３の全長にわたって凹設されてい
る。
【００３０】
また、メタル３の外側両端部３ａが軸受部２ａの端面よりも所定の突出幅ｈだけ外方に
突出され、その突出端部３ａの外周面１７が外方に向かって３０〜６０°（好ましくは４
０〜５０°）の傾斜角度βで先すぼまりテーパ状に形成されている。上記以外の構成は図
８〜図１１に示す構成とほぼ同じであるから、同一部分に同一符号を付してその説明を省
略する。
【００３１】
この第１の実施の形態では、突出端部３ａの突出幅ｈがメタル３の厚さｔと同一に設定
され、傾斜角度βが４５°になっている。
【００３２】
図１（ａ）に実線で示すように、光ピックアップの駆動停止によりスライドベース２を
矢印ａ方向にスライドさせて最前進位置Ｓ１で停止させると、該スライドベース２にリン
グ状余剰グリースＧｂが粘着された状態となり、その状態から光ピックアップの駆動開始
によりスライドベース２を矢印ｂ方向にスライドさせたときに（図６参照）、そのスライ
ドベース２に粘着する余剰グリースＧｂがスライド抵抗となる。
【００３３】
本発明によれば、ガイドシャフト４の外周面にグリースＧによる油膜Ｇａが形成され、
その油膜Ｇａを形成しない余剰のグリースＧが、ガイドシャフト４の両端に押し出される
リング状余剰グリースＧｂと、メタル３の各油溝１６に対向してガイドシャフト４の中央
に残される複数（この実施の形態では４つ）のライン状余剰グリースＧｃとに分散され、
しかも、リング状余剰グリースＧｂの大部分がメタル３の突出端部３ａ上に乗せられるか
ら、そのリング状余剰グリースＧｂのガイドシャフト４に接する幅ｋ〔図１（ａ）拡大図
参照〕が小さくなり、冬場などの低温状態（例えば０°Ｃ前後）でグリースＧの粘性が大
きくなっても、そのリング状余剰グリースＧｂのスライドベース２に対するスライド抵抗
を小さく抑えることができる。
【００３４】
これによって、スライドベース２をリング状余剰グリースＧｂから離間させるのに必要
な最低駆動電圧の上昇が低く抑えられ、スライドベース２をスライドさせるためのフィー
ドモータとして駆動力が小さい小型のものでもよくなり、コストダウンを図ることができ
る。
【００３５】
また、最低駆動電圧の上昇が低く抑えられることにより、供給電圧に余裕ができるから
、その供給電圧の低減効果も生じる。
【００３６】
更に、スライドベース２を長期にわたって繰り返しスライドさせることにより、油膜Ｇ
ａが薄くなると、図５（ａ）に矢印ｃで示すように、各ライン状余剰グリースＧｃからガ
イドシャフト４の中央に向けてグリースＧが補充されるから、油膜Ｇａの厚さを常に適正
に保持してスライド抵抗が小さい状態を維持し、スライドベース２を長期にわたって円滑
にスライドさせることができる。
【００３７】
しかも、図２及び図５（ａ）に示すように、メタル３の内周面の垂直線Ｚ及び水平線Ｙ
に対向する天井部、底部及び左右両側部から外れた位置に油溝１６が形成されており、そ
の天井部、底部及び左右両側部の円弧面１８が油膜Ｇａを介してガイドシャフト４に密着
されているから、スライドベース２を垂直方向Ｚ及び水平方向Ｙに動揺させることなくガ
イドシャフト４に沿って円滑にスライドさせることができる。
【００３８】
ここで、メタル３の突出端部３ａのテーパ状外周面１７の傾斜角度βが３０°未満の場
合には、その突出端部３ａの肉厚が小さくなり過ぎて強度が低下し、落下などの振動が加
わったときに損傷されるおそれがある。また、その傾斜角度βが６０°を超える場合には
、その突出端部３ａ上にリング状余剰グリースＧｂを確実に乗せることが困難になる。
【００３９】
そこで、本発明では、傾斜角度βが３０〜６０°（好ましくは４０〜５０°）に設定さ
れており、これによれば、突出端部３ａの肉厚が適度に大きくて強度が高いので、落下な
どの振動が加わったときに損傷されることがなく、その突出端部３ａ上にリング状余剰グ
リースＧｂを確実に乗せることができる。
【００４０】
図７は本発明の第２の実施の形態である光ピックアップを示すものであって、図７（ａ
）は同要部の部分拡大斜視図、図７（ｂ）は同要部の部分拡大横断面図である。
【００４１】
図７（ａ）（ｂ）に示すように、メタル３の突出端部３ａの外周面１７に、各油溝１６
から外向きに広がる横断面略Ｖ字状の集油溝１９が形成されている。上記以外の構成は図
１〜図６に示す第１の実施の形態とほぼ同じであるから、同一部分に同一符号を付してそ
の説明を省略する。
【００４２】
上記構成によれば、突出端部３ａ上に乗せたリング状余剰グリースＧｂを集油溝１９で
集めて各油溝１６に補充することができる。
【図面の簡単な説明】
【００４３】
【図１】本発明の第１の実施の形態である光ピックアップを示す同要部の縦断面図である。
【図２】図１のＡ−Ａ矢視図である。
【図３】同要部の斜視図である。
【図４】同要部の部分斜視図である。
【図５】（ａ）は同要部の部分拡大斜視図、（ｂ）は同要部の部分拡大横断面図である。
【図６】同シーク時のスライド抵抗を示す要部の拡大縦断面図である。
【図７】（ａ）は本発明の第２の実施の形態である光ピックアップを示す要部の部分拡大斜視図、（ｂ）は同要部の部分拡大横断面図である。
【図８】従来例を示す斜視図である。
【図９】（ａ）は同要部の縦断面図、（ｂ）はＢ−Ｂ矢視図である。
【図１０】同要部の斜視図である。
【図１１】同シーク時のスライド抵抗を示す要部の拡大縦断面図である。
【符号の説明】
【００４４】
１          アクチュエータ
２          スライドベース
２ａ        軸受部
３          メタル
３ａ        メタルの突出端部
４          一方のガイドシャフト
５          他方のガイドシャフト（ガイド部材）
１６        油溝
１７        突出端部の外周面
１８        メタルの円弧面
１９        メタルの集油溝
ＯＬ        対物レンズ
Ｇ          グリース
Ｚ          垂直線
Ｙ          水平線
α          所定角度
β          傾斜角度
【図１】
2009020939.tif 000003
【図２】
2009020939.tif 000004
【図３】
2009020939.tif 000005
【図４】
2009020939.tif 000006
【図５】
2009020939.tif 000007
【図６】
2009020939.tif 000008
【図７】
2009020939.tif 000009
【図８】
2009020939.tif 000010
【図９】
2009020939.tif 000011
【図１０】
2009020939.tif 000012
【図１１】
2009020939.tif 000013